(57)【要約】【目的】効率良くシェーディング補正を行う。【構成】カスタム白バランス・モードが設定されると，ズーム・レンズがワイド端およびテレ端にそれぞれ移動させられ（ステップ３７），白バランス補正のための対象物が，それぞれの位置で撮像される（ステップ３８）。撮像により得られたワイド端画像データおよびテレ端画像データのうちテレ端画像データを用いて白バランス補正が行われる。また，撮像により得られたワイド端画像データおよびテレ端画像データを用いてテレ端でのシェーディング補正関数およびワイド端でのシェーディング補正関数が算出される（ステップ４１）。算出された補正関数を用いてシェーディング補正が行われる。【選択図】  図４
2004336585.tif 000002
【特許請求の範囲】
【請求項１】
ズーム・レンズによって受光面上に結像するカラーの対象画像を表すカラー画像データを出力する固体電子撮像装置，
カスタム白バランス・モードの設定手段，
上記カスタム白バランス・モード設定手段における設定に応じて上記ズーム・レンズをワイド端およびテレ端にそれぞれ移動して，それぞれのレンズ位置において対象物を撮像することにより，ワイド端でのカラー画像データおよびテレ端でのカラー画像データを得るように上記ズーム・レンズおよび上記固体電子撮像装置を制御する制御手段，
上記制御手段の制御にもとづいて得られるワイド端でのカラー画像データおよびテレ端でのカラー画像データの少なくとも一方を用いてカスタム白バランス調整を行う白バランス調整手段，
上記制御手段の制御にもとづいて得られるワイド端でのカラー画像データおよびテレ端でのカラー画像データを用いて，ワイド端でのシェーディング補正関数およびテレ端でのシェーディング補正関数を算出するシェーディング補正関数算出手段，ならびに
上記シェーディング補正関数算出手段によって算出されたワイド端でのシェーディング補正関数およびテレ端でのシェーディング補正関数のうち，上記ズーム・レンズの位置に応じた補正関数を用いて，上記固体電子撮像装置から出力される画像データをシェーディング補正するシェーディング補正手段，
を備えた撮像装置。
【請求項２】
上記固体電子撮像装置は，ズーム・レンズによって受光面上に結像する高感度カラー画像データと低感度カラー画像データとを出力するものであり，
上記シェーディング補正関数算出手段は，上記制御手段の制御にもとづいて得られるワイド端での低感度カラー画像データおよびテレ端での低感度カラー画像データを用いて，ワイド端でのシェーディング補正関数およびテレ端でのシェーディング補正関数を算出するものである，
請求項１に記載の撮像装置。
【請求項３】
ズーム・レンズによって受光面上に結像するカラーの対象画像を表すカラー画像データを出力する固体電子撮像装置を備えた撮像装置において，
カスタム白バランス・モードの設定に応じて上記ズーム・レンズをワイド端およびテレ端にそれぞれ移動して，それぞれのレンズ位置において対象物を撮像することにより，ワイド端でのカラー画像データおよびテレ端でのカラー画像データを得るように上記ズーム・レンズおよび上記固体電子撮像装置を制御し，
上記制御にもとづいて得られるワイド端でのカラー画像データおよびテレ端でのカラー画像データの少なくとも一方を用いてカスタム白バランス調整を行い，上記制御にもとづいて得られるワイド端でのカラー画像データおよびテレ端でのカラー画像データを用いて，ワイド端でのシェーディング補正関数およびテレ端でのシェーディング補正関数を算出し，
算出されたワイド端でのシェーディング補正関数およびテレ端でのシェーディング補正関数のうち，上記ズーム・レンズの位置に応じた補正関数を用いて，上記固体電子撮像装置から出力される画像データをシェーディング補正する，
撮像装置の制御方法。
【発明の詳細な説明】
【０００１】
【技術分野】
この発明は，撮像装置およびその制御方法に関する。
【０００２】
【発明の背景】
ディジタル・スチル・カメラにおいて被写体を撮像する場合には，ズーム・レンズによってＣＣＤの受光面上に被写体像が結像する。ＣＣＤの受光面上における光量は，撮像レンズの中心部分に対応する部分よりも撮像レンズの周辺部分に対応する部分の方が少なくなる（シェーディング）。シェーディングにより，撮像によって得られた画像には明暗のむらができることがある。このために通常はシェーディング補正が行われる（例えば，特許文献１参照）。
【０００３】
【特許文献１】
特開平１１−２７５４５２号公報
【０００４】
シェーディング補正を行うためには，基準となる対象物（例えば，白色一色のスクリーンなど）を撮像して，基準画像を得る必要がある。シェーディング補正は比較的煩雑となる。
【０００５】
【発明の開示】
この発明は，比較的簡単にシェーディング補正を行うことを目的とする。
【０００６】
この発明による撮像装置は，ズーム・レンズによって受光面上に結像するカラーの対象画像を表すカラー画像データを出力する固体電子撮像装置，カスタム白バランス・モードの設定手段，上記カスタム白バランス・モード設定手段における設定に応じて上記ズーム・レンズをワイド端およびテレ端にそれぞれ移動して，それぞれのレンズ位置において対象物を撮像することにより，ワイド端でのカラー画像データおよびテレ端でのカラー画像データを得るように上記ズーム・レンズおよび上記固体電子撮像装置を制御する制御手段，上記制御手段の制御にもとづいて得られるワイド端でのカラー画像データおよびテレ端でのカラー画像データの少なくとも一方を用いてカスタム白バランス調整を行う白バランス調整手段，上記制御手段の制御にもとづいて得られるワイド端でのカラー画像データおよびテレ端でのカラー画像データを用いて，ワイド端でのシェーディング補正関数およびテレ端でのシェーディング補正関数を算出するシェーディング補正関数算出手段，ならびに上記シェーディング補正関数算出手段によって算出されたワイド端でのシェーディング補正関数およびテレ端でのシェーディング補正関数のうち，上記ズーム・レンズの位置に応じた補正関数を用いて，上記固体電子撮像装置から出力される画像データをシェーディング補正するシェーディング補正手段を備えていることを特徴とする。
【０００７】
この発明は，上記撮像装置に適した制御方法も提供している。すなわち，ズーム・レンズによって受光面上に結像するカラーの対象画像を表すカラー画像データを出力する固体電子撮像装置を備えた撮像装置において，カスタム白バランス・モードの設定に応じて上記ズーム・レンズをワイド端およびテレ端にそれぞれ移動して，それぞれのレンズ位置において対象物を撮像することにより，ワイド端でのカラー画像データおよびテレ端でのカラー画像データを得るように上記ズーム・レンズおよび上記固体電子撮像装置を制御し，上記制御にもとづいて得られるワイド端でのカラー画像データおよびテレ端でのカラー画像データの少なくとも一方を用いてカスタム白バランス調整を行い，上記制御にもとづいて得られるワイド端でのカラー画像データおよびテレ端でのカラー画像データを用いて，ワイド端でのシェーディング補正関数およびテレ端でのシェーディング補正関数を算出し，算出されたワイド端でのシェーディング補正関数およびテレ端でのシェーディング補正関数のうち，上記ズーム・レンズの位置に応じた補正関数を用いて，上記固体電子撮像装置から出力される画像データをシェーディング補正するものである。
【０００８】
この発明によると，カスタム白バランス・モードの設定が可能である。カスタム白バランス・モードが設定されると，ズーム・レンズがワイド端およびテレ端に移動させられ，それぞれのレンズ位置において対象物（カスタム白バランス調整を行うための基準対象物）が撮像される。撮像により，ワイド端でのカラー画像データおよびテレ端でのカラー画像データが得られる。ワイド端でのカラー画像データおよびテレ端でのカラー画像データの少なくとも一方のカラー画像データを用いてカスタム白バランス調整が行われる。
【０００９】
また，カスタム白バランス・モードの設定に応じて得られたワイド端でのカラー画像データおよびテレ端でのカラー画像データを用いて，ワイド端でのシェーディング補正関数およびテレ端でのシェーディング補正関数がそれぞれ算出される。算出されたシェーディング補正関数を用いて，固体電子撮像装置から出力されるカラー画像データがシェーディング補正される。
【００１０】
カスタム白バランス調整が行われるときに得られるカラー画像データを用いてシェーディング補正関数を算出できる。撮像装置の動作を煩雑にすることなく，比較的簡単にシェーディング補正関数を得ることができる。
【００１１】
また，上記固体電子撮像装置は，たとえば，ズーム・レンズによって受光面上に結像する高感度カラー画像データと低感度カラー画像データとを出力する。この場合，上記シェーディング補正関数算出手段は，上記制御手段の制御にもとづいて得られるワイド端での低感度カラー画像データおよびテレ端での低感度カラー画像データを用いて，ワイド端でのシェーディング補正関数およびテレ端でのシェーディング補正関数を算出するものとなろう。
【００１２】
対象物の輝度が高い場合には，高感度画像データが飽和する可能性が高い。飽和した画像データを用いてシェーディング補正関数が算出されると不正確となることがある。低感度画像データを用いてシェーディング補正関数を用いることにより，比較的正確なシェーディング補正関数が得られる。
【００１３】
【実施例の説明】
図１は，この発明の実施例によるディジタル・スチル・カメラに用いられるＣＣＤ１を模式的に示している。
【００１４】
ＣＣＤ１には，水平方向および垂直方向に多数のフォトダイオード４が配列されている。フォトダイオード４の受光面上には，赤色，青色または緑色の光成分の透過を許すカラー・フィルタが形成されている。フォトダイオード４は，奇数列は奇数行に配置され，偶数列は偶数行に配置されている。偶数列は奇数行に配置し，奇数列は偶数行に配置するようにしてもよい。
【００１５】
フォトダイオード４は，その受光領域が２つに分けられている。一方の受光領域３を主受光領域，他方の受光領域４を副受光領域ということにする。主受光領域３に蓄積された信号電荷と副受光領域４に蓄積された信号電荷とは混ざらないようにフォトダイオード２が形成されている。主受光領域３の受光面積と副受光領域４の受光面積との比率は，４対１に規定されている。もっとも，その他の比率でもよいのはいうまでもない。
【００１６】
フォトダイオード２の右側には，フォトダイオード２に蓄積された信号電荷を垂直方向に転送する垂直転送路５が設けられている。フォトダイオード２に蓄積された信号電荷のうち，主受光領域３に蓄積された信号電荷（主信号電荷という）がフォトダイオード２から垂直転送路４にシフトされる。主信号電荷は，水平転送路６に与えられ，水平方向に転送させられる。主信号電荷は，増幅回路７において増幅され，一駒分の画像を表す赤色，青色または緑色のカラーの高感度映像信号ＳＨとしてＣＣＤ５から出力される。
【００１７】
高感度映像信号ＳＨの出力が終了すると，フォトダイオード２の副受光領域４に蓄積された信号電荷（副信号電荷という）が垂直転送路５にシフトされる。主信号電荷と同様に，副信号電荷は，垂直転送路５内を垂直方向に転送させられ，水平転送路６に与えられる。副信号電荷は，水平転送路６内を水平方向に転送させられ，増幅回路７を介して赤色，青色または緑色のカラーの低感度映像信号ＳＬとしてＣＣＤ５から出力される。
【００１８】
図２は，ディジタル・スチル・カメラの電気的構成の一部を示すブロック図である。
【００１９】
ディジタル・スチル・カメラの全体の動作は，ＣＰＵ１０によって統括される。
【００２０】
ディジタル・スチル・カメラには，操作スイッチ類１１が含まれている。この操作スイッチ類１１には，シャッタ・レリーズ・ボタン，モード設定スイッチ（モードには，撮像モード，セットアップ・モードなどがある），決定ボタン，Ｂａｃｋボタンなどが含まれている。
【００２１】
ディジタル・スチル・カメラには，ズーム・レンズ１３が含まれている。ズーム・レンズ１３は，着脱自在であってもよいし，着脱自在でなくともよい。ズーム・レンズ１３のズーム量（レンズ位置）は，ＣＰＵ１０によって制御されるズーム制御回路１２によって制御される。
【００２２】
ズーム・レンズ１３によってＣＣＤ１の受光面上に被写体像が結像する。被写体像を表す高感度映像信号ＳＨおよび低感度映像信号ＳＬがＣＣＤ１から出力され，相関二重サンプリング回路１４を介してアナログ／ディジタル変換回路１５に入力する。アナログ／ディジタル変換回路１５において，高感度映像信号ＳＨおよび低感度映像信号ＳＬが，高感度画像データＤＨおよび低感度画像データＤＳにディジタル変換される。高感度画像データＤＨおよび低感度画像データＤＳは，それぞれ第１のオフセット回路１６および第２のオフセット回路１７においてオフセットされ，シェーディング補正回路１８に入力する。
【００２３】
撮像により得られた高感度画像データＤＨおよび低感度画像データＤＬがメモリ・カード（図示略）に記録される場合には，後述するようにシェーディング補正回路１８においてシェーディング補正が行われる。シェーディング補正回路１８から出力された高感度画像データＤＨおよび低感度画像データＤＬは，白バランス補正回路２１に入力する。シェーディング補正回路１８から第１のゲイン増幅回路１９用のゲイン制御信号および第２のゲイン増幅回路２０用のゲイン制御信号が出力され，第１のゲイン増幅回路１９および第２のゲイン増幅回路２０にそれぞれ与えられる。
【００２４】
この実施例によるディジタル・スチル・カメラにおいては後述するようにカスタム白バランス調整を行うことができる。カスタム白バランス調整が行われる場合には，白バランス補正回路２１に入力した高感度画像データＤＨおよび低感度画像データＤＬにもとづいて第１のゲイン増幅回路１９および第２のゲイン増幅回路２０のそれぞれのゲイン調整量が算出され，上述のようにゲイン制御信号として第１のゲイン増幅回路１９および第２のゲイン増幅回路２０に与えられる。第１のゲイン増幅回路１９および第２のゲイン増幅回路２０において，入力した高感度画像データＤＨおよび低感度画像データＤＬのレベルが調整されることにより白バランス調整が行われることとなる。
【００２５】
第１のゲイン増幅回路１９および第２のゲイン増幅回路２０から出力された高感度画像データＤＨおよび低感度画像データＤＬは，第１のガンマ補正回路２２および第２のガンマ補正回路２３においてそれぞれガンマ補正される。ガンマ補正された高感度画像データＤＨおよび低感度画像データＤＬは，ミクス回路２５およびＣＰＵ１０に入力する。また，第２のガンマ補正回路２３から出力された低感度画像データＤＬは，シェーディング補正関数算出回路２４にも入力する。低感度画像データＤＬはシェーディング補正関数算出回路２４内のメモリ（図示略）に記憶される。
【００２６】
ＣＰＵ１０に入力した高感度画像データＤＨおよび低感度画像データＤＬにもとづいて白バランス調整が適正かどうかが判定される。不適正であれば，再度白バランス調整が行われる。
【００２７】
また，シェーディング補正関数算出回路２４において，シェーディング補正関数が算出される。算出されたシェーディング補正関数を表すデータはシェーディング補正回路１８に与えられ，シェーディング補正が行われる。シェーディング補正関数の算出およびシェーディング補正について詳しくは後述する。
【００２８】
ミクス回路２５において高感度画像データＤＨと低感度画像データＤＬとがミクスされて新たな画像データが生成される。生成された画像データは画素配置処理回路２６に入力し，画素配置処理回路２６において表示装置２９の表示に適した配置となるように処理される。画素配置処理回路２６から出力された画像データは輪郭補正回路２７において輪郭補正される。輪郭補正された画像データは色補正処理回路２８において色補正される。色補正処理回路２８から出力された画像データが表示装置２９に与えられることにより，表示画面上に撮像画像が表示される。また，シャッタ・レリーズ・ボタンの押下に応じてメモリ・カードに画像データが記録される。
【００２９】
図３および図４は，カスタム白バランス処理手順を示すフローチャートである。図５は，表示装置２９の表示画面の一例である。
【００３０】
この実施例によるディジタル・スチル・カメラにおいては，カスタム白バランス・モードが設定されると，カスタム白バランス補正が行われるとともに，ズーム・レンズ１３がテレ端およびワイド端に移動させられ，テレ端でのシェーディング補正関数およびワイド端でのシェーディング補正関数が算出される。
【００３１】
モード設定スイッチによりセットアップ・モードが設定されると，表示装置２９の表示画面上にはメニュー画像が表示される。そのメニュー画像の中からカスタム白バランス・モードが選択されることにより，カスタム白バランス・モードとなる（ステップ３１）。すると，表示装置２９の表示画面５０には，図５に示すようにカスタム白バランス／シェーディング用プレビュー画像が表示される（ステップ３２）。
【００３２】
プレビュー画像５０には，次の領域等が含まれている。
【００３３】
マーク５１：プレビュー画像５０の四隅に表示されるもので，このマークで規定される領域内に，カスタム白バランス補正に利用される白いスクリーンなどの被写体が位置決めされて，撮像される。
【００３４】
注意表示領域５２：カスタム白バランス補正のために被写体を撮像する場合の注意事項が表示される。
【００３５】
ゾーン５３：撮像範囲の中心部分を示している。
【００３６】
モード表示領域５４：設定されたモード（カスタム白バランス・モード）をユーザに知らせるために，設定されたモードが表示される。
【００３７】
新規登録表示領域５５：カスタム白バランス補正を行う場合（シェーディング補正関数の算出を行う場合）にユーザが行うべき動作を示している。シャッタ・レリーズ・ボタンが押されることにより，カスタム白バランス補正（シェーディング補正関数の算出）が行われることが示されている。
【００３８】
キャンセル表示領域５６：カスタム白バランス補正のキャンセルを行う場合にユーザが行うべき動作を示している。Ｂａｃｋボタンが押されることによりキャンセルとなることが示されている。
【００３９】
カスタム白バランス・モードが設定されると，ズーム・レンズ１３はワイド端の位置に移動させられる（ステップ３３）。シャッタ・レリーズ・ボタンが押されると（ステップ３４でＹＥＳ），被写体（基準対象物であり，上述したように白バランス補正用の白いスクリーンなど）が撮像され，上述のように被写体像を表す高感度画像データＤＨおよび低感度画像データＤＬが得られる。低感度画像データＤＬは，シェーディング補正回路２４内のメモリに記憶される（ズーム・レンズ１３の位置はワイド端にあるから，この低感度画像データＤＬをワイド端画像データということにする。）。表示画面５０には，ウェイティング画像が表示される（ステップ３６）。
【００４０】
つづいて，ズーム・レンズ１３のレンズ位置はワイド端からテレ端に移動させられる（ステップ３７）。再び，被写体が撮像され，被写体像を表す画像データが得られる（ステップ３８）。レンズ位置がワイド端にある場合と同様に，低感度画像データＤＬがシェーディング補正回路２４内のメモリに記憶される（レンズ位置がテレ端にあるから，テレ端画像データということにする。）。
【００４１】
また，ズーム・レンズ１３のレンズ位置がテレ端にある場合に得られた高感度画像データＤＨおよび低感度画像データＤＬが白バランス補正回路２１に入力し，上述のようにして白バランス補正が行われる（カスタム白バランス補正）。比較的正確に白バランス補正が行われたかどうかが判定される（ステップ３９）。極端に明るい場合などは白バランス補正が適正でないとして（ステップ４０でＮＯ），ステップ３２からの処理が繰り返される。
【００４２】
白バランス補正が適正であると判定されると（ステップ４０でＹＥＳ），テレ端画像データを用いてワイド端およびテレ端用のシェーディング補正関数が算出される（ステップ４１）。シェーディング補正関数算出処理について詳しくは後述する。また，算出されたワイド端およびテレ端用のシェーディング補正関数がシェーディング補正回路１８にセットされる（ステップ４２）。表示装置２９の表示画面上にはセット終了画像が表示されることとなる（ステップ４３）。
【００４３】
次にシェーディング補正関数の算出について述べる。
【００４４】
図６は，撮像により得られた画像（ＣＣＤ１の受光面にも対応する）の一例を示している。
【００４５】
画像の水平方向の幅はｗｉｄｔｈ，垂直方向の高さはｈｅｉｇｈｔとされている。画像の左上の点Ｏが原点とされている。原点Ｏの座標は（０，０）である。画像の中心の点Ｃの座標は（Ｃｘ，Ｃｙ）である。画像上の所望の点Ｐ（シェーディング補正すべき対象となる画像の位置）の座標は（ｘ，ｙ）である。所望の点Ｐと中心点Ｃとの水平方向の距離Δｘは式１から得られ，所望の点Ｐと中心点Ｃとの垂直方向の距離Δｙは式２から得られる。
【００４６】
Δｘ＝｜ｘ−Ｃｘ｜＝｜ｘ−ｗｉｄｔｈ／２｜・・・式１
Δｙ＝｜ｙ−Ｃｙ｜＝｜ｘ−ｈｅｉｇｈｔ／２｜・・・式２
【００４７】
図７は，レンズ・シェーディングにより生じるＣＣＤ上の光量の変化の様子を示している。
【００４８】
上述したように，ＣＣＤの受光面上における光量はズーム・レンズ１３の中心部分ほど高く，周辺となるにしたがって低下する。図７においては，ＣＣＤ１の水平方向と垂直方向との位置に応じて光量が変化する様子が示されている。ＣＣＤ１の中心部分ほど光量が大きく，ＣＣＤ１の周辺部分ほど光量が小さくなっている。
【００４９】
このようなレンズ・シェーディングは，上述したように，テレ端画像データおよびワイド端画像データごとに得られる。ズーム・レンズ１３のレンズ位置がテレ端にある場合のレンズ・シェーディングとワイド端にある場合のレンズ・シェーディングとが得られる。これらのレンズ・シェーディング（ｓｄ［ｘ，ｙ］）は式３によって表される（テレ端にある場合のレンズ・シェーディングとワイド端にある場合のレンズ・シェーディングとを共通のレンズ・シェーディングｓｄ［ｘ，ｙ］としている）。ただし，Ａは２次項の係数，Ｂは４次項の係数，Ｃは定数である。
【００５０】
ｓｄ［ｘ，ｙ］＝Ａ×（Δｘ２＋Δｙ２）＋Ｂ×（Δｘ２＋Δｙ２）２＋Ｃ・・・式３
【００５１】
シェーディング補正関数ＨＳＤ［ｘ，ｙ］は，式４となる。
【００５２】
ＨＳＤ［ｘ，ｙ］＝１／ｓｄ［ｘ，ｙ］・・・式４
【００５３】
このようなシェーディング補正関数ＨＳＤ［ｘ，ｙ］が，ズーム・レンズ１３のレンズ位置がテレ端にある場合とワイド端にある場合とでシェーディング補正関数算出回路２４においてそれぞれ算出される。
【００５４】
ズーム・レンズ１３のレンズ位置がテレ端とワイド端との間にある場合のシェーディング補正関数は，テレ端の補正関数とワイド端の補正関数との比率によって求められることは理解されよう。
【００５５】
シェーディング補正回路１８（またはシェーディング補正関数算出回路２４）において，推奨レンズのシェーディング補正関数ＨＳＤｒ［ｘ，ｙ］がセットされていてもよい。推奨レンズ以外のレンズがディジタル・スチル・カメラに装着された場合には，補正関数を補正する関数ＨＳＤｃ［ｘ，ｙ］を用いて推奨レンズのシェーディング補正関数ＨＳＤｒ［ｘ，ｙ］が補正されることによりトータルの補正関数ＨＳＤｔ［ｘ，ｙ］が算出される（式５参照）。
【００５６】
【数１】
2004336585.tif 000003
【００５７】
図８は，シェーディング補正の処理手順を示すフローチャートである。
【００５８】
まず，ユーザによってモード設定スイッチを用いて撮像モードに設定される。撮像モードに設定された後にシャッタ・レリーズ・ボタンが押されると（ステップ６１でＹＥＳ），ズーム・レンズ１３のレンズ位置が検出される（ステップ６２）。検出されたレンズ位置を表すデータはシェーディング補正関数算出回路２４に与えられる。
【００５９】
シェーディング補正関数算出回路２４にセットされているテレ端でのシェーディング補正関数およびワイド端でのシェーディング補正関数がそれぞれ読み取られる（ステップ６３）。また，検出されたレンズ位置を表すデータから，ズーム・レンズ１３の位置の割合（テレ端とワイド端との間の比率）が算出される（ステップ６４）。ズーム・レンズ１３のレンズ位置に応じて，テレ端のシェーディング補正関数とワイド端のシェーディング補正関数とを用いてそのレンズ位置でのシェーディング補正関数が算出される（ステップ６５）。
【００６０】
算出されたシェーディング補正関数がシェーディング補正回路１８にセットされる（ステップ６６）。撮像により得られた高感度画像データＤＨと低感度画像データＤＬとがシェーディング補正回路１８に入力することにより，シェーディング補正が行われることとなる（ステップ６７）。
【図面の簡単な説明】
【図１】ＣＣＤの模式図を示している。
【図２】ディジタル・スチル・カメラの電気的構成を示すブロック図である。
【図３】カスタム白バランス補正の処理手順の一部を示すフローチャートである。
【図４】カスタム白バランス補正の処理手順の一部を示すフローチャートである。
【図５】カスタム白バランス／シェーディング用プレビュー画像の一例である。
【図６】撮像画像の一例である。
【図７】シェーディングの様子を示している。
【図８】シェーディング補正の処理手順を示すフローチャートである。
【符号の説明】
１  ＣＣＤ
１０  ＣＰＵ
１１  操作スイッチ類
１２  ズーム・レンズ制御回路
１３  ズーム・レンズ
１８  シェーディング補正回路
１９，２０  ゲイン増幅回路
２１  白バランス補正回路
２４  シェーディング補正関数算出回路
２９  表示装置
【図１】
2004336585.tif 000004
【図２】
2004336585.tif 000005
【図３】
2004336585.tif 000006
【図４】
2004336585.tif 000007
【図５】
2004336585.tif 000008
【図６】
2004336585.tif 000009
【図７】
2004336585.tif 000010
【図８】
2004336585.tif 000011